(57)【要約】      （修正有）【課題】熱によるＬＥＤの破損を防ぎ、耐久性を向上させる照明設備を提供する。【解決手段】耐久性に優れた照明設備は、内部に収容空間１１が形成される照明管１０と、収容空間に収納され、水平部２１、及び水平部の底面に延設されると共に、相対する両側面を備える垂直部２２を有する基板２０と、水平部の上面に取り付けられる複数のＬＥＤ３０と、垂直部の両側面の一方に取り付けられる複数の電子部品４０とを有する。ＬＥＤと電子部品とは別個に設置されることから、電子部品の稼動により発生した熱は垂直部により放散され、水平部に伝わることはないので、ＬＥＤに悪影響を与えることがなく、発光効率が高まる。【選択図】図１
0003211005.tif 000002
【実用新案登録請求の範囲】
【請求項１】
内部に収容空間が形成される照明管と、
前記収容空間に収納され、水平部、及び該水平部の底面に延設されると共に、相対する両側面を備える垂直部を有する基板と、
前記水平部の上面に取り付けられる、複数のＬＥＤと、
前記垂直部の両側面のうちの一方に取り付けられる、複数の電子部品と、を有することを特徴とする耐久性に優れた照明設備。
【請求項２】
前記収容空間の内壁における相対する両側にそれぞれ、嵌設凹部が対応するように凹設されると共に、前記水平部の両側がそれぞれ、２つの嵌設凹部に嵌め込まれることを特徴とする請求項１に記載の耐久性に優れた照明設備。
【請求項３】
前記照明管は、第一端及び第二端を備え、該第一端及び該第二端にそれぞれ、蓋部が取り付けられることを特徴とする請求項２に記載の耐久性に優れた照明設備。
【請求項４】
前記蓋部の底部に固定部が延設されることを特徴とする請求項３に記載の耐久性に優れた照明設備。
【請求項５】
前記照明管の外壁の両側にそれぞれ連接部が延設され、該連接部がそれぞれ、対応する蓋部に連接されることを特徴とする請求項４に記載の耐久性に優れた照明設備。
【請求項６】
前記各蓋部は、２本のボルトを備え、該各ボルトがそれぞれ、各連接部に対応するように螺合されることを特徴とする請求項５に記載の耐久性に優れた照明設備。
【請求項７】
前記照明管の第一端にある蓋部にさらに、外部の電源と電気接続する電源線が取り付けられることを特徴とする請求項６に記載の耐久性に優れた照明設備。
【請求項８】
前記水平部と垂直部がＴ字形の構造であることを特徴とする請求項１乃至７の何れか１項に記載の耐久性に優れた照明設備。
【考案の詳細な説明】
【技術分野】
【０００１】
本考案は、特に耐久性に優れた照明設備に関するものである。
【背景技術】
【０００２】
図３及び図４に示すように、既存の照明設備には、例えば、発光ダイオードライトなどを有し、その発光ダイオードライトは、照明管９０と、基板９１と、複数の発光ダイオード（Ｌｉｇｈｔ  Ｅｍｉｔｔｉｎｇ  Ｄｉｏｄｅ，  ＬＥＤ）９２と、複数の電子部品９３を有し、そのうち、基板９１は、照明管９０の内部に取り付けられ、該発光ダイオード９２及び電子部品９３はそれぞれ、基板９１の上面に取り付けられ、該電子部品９３は、少なくとも１つの抵抗や、少なくとも１つの静電容量、少なくとも１つのインダクタンスなどの電子部品を含む。使用する時は、その照明管９０を電源に接続することにより、それらの電子部品を稼動させて発光ダイオード９２を発光させる。
【考案の概要】
【考案が解決しようとする課題】
【０００３】
しかしながら、前記既存の発光ダイオードライトは、発光ダイオード９２が発光すると同時に熱も発生することから、その発生した熱が発光ダイオード９２の発光効率に悪影響を与え、発光ダイオード９２を壊れやすくし、熱の影響が強ければ、発光ダイオード９２が破損して発光できなくなる虞もある。また、それらの発光ダイオード９２自身の熱だけではなく、その他の電子部品９３も熱を発生することから、それらの熱の累積により、発光ダイオード９２の発光効率に悪影響を与えると共に、発光ダイオード９２が壊れやすくなり、耐久性も低下してしまう。
【課題を解決するための手段】
【０００４】
本考案に係る耐久性に優れた照明設備は、
内部に収容空間が形成される照明管と、
前記収容空間に収納され、水平部、及び該水平部の底面に延設されると共に、相対する両側面を備える垂直部を有する基板と、
前記水平部の上面に取り付けられる、複数のＬＥＤと、
前記垂直部の両側面のうちの一方に取り付けられる、複数の電子部品と、を有するものである。
【０００５】
かかる照明設備において、前記収容空間の内壁における相対する両側にそれぞれ、嵌設凹部が対応するように凹設されると共に、前記水平部の両側がそれぞれ、２つの嵌設凹部に嵌め込まれることが好ましい。
【０００６】
かかる照明設備において、前記照明管は、第一端及び第二端を備え、該第一端及び該第二端にそれぞれ、蓋部が取り付けられることが好ましい。
【０００７】
かかる照明設備において、前記蓋部の底部に固定部が延設されることが好ましい。
【０００８】
かかる照明設備において、前記照明管の外壁の両側にそれぞれ連接部が延設され、該連接部がそれぞれ、対応する蓋部に連接されることが好ましい。
【０００９】
かかる照明設備において、前記各蓋部は、２本のボルトを備え、該各ボルトがそれぞれ、各連接部に対応するように螺合されることが好ましい。
【００１０】
かかる照明設備において、前記照明管の第一端にある蓋部にさらに、外部の電源と電気接続する電源線が取り付けられることが好ましい。
【００１１】
かかる照明設備において、前記水平部と垂直部がＴ字形の構造であることが好ましい。
【考案の効果】
【００１２】
本考案に係る、耐久性に優れた照明設備は、複数の電子部品が垂直部の一側面に取り付けられることから、それらの電子部品を稼動して発生した熱を、垂直部の他の側面から素早く放散することができ、水平部にある複数のＬＥＤに悪影響を与えることはない。故に、ＬＥＤの発光過程から発生した熱と、電子部品の稼動過程から発生した熱との累積によるＬＥＤの破損を防ぐことができることから、ＬＥＤの耐久性を高められるので、結果的に使用寿命を延ばすことができる。
【００１３】
さらに、それらの電子部品の稼動により発生した熱を、垂直部における、電子部品を有しない側面から排出することができることから、その熱が水平部に伝わることはないので、電子部品からの熱がＬＥＤに悪影響を与えることはない。故に、ＬＥＤの発光効率を高められるので、ＬＥＤの照明効率も高まる。
【図面の簡単な説明】
【００１４】
【図１】本考案に係る耐久性に優れた照明設備の斜視図である。
【図２】本考案に係る耐久性に優れた照明設備において、電子部品が垂直部の一側面に取り付けられた実施例の説明図（Ａ）、及び、電子部品が垂直部の他の側面に取り付けられた実施例の説明図（Ｂ）である。
【図３】既存の照明設備における斜視図である。
【図４】既存の照明設備における断面図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１及び図２Ａに示すように、本考案に係る、耐久性に優れた照明設備は、照明管１０と、基板２０と、複数のＬＥＤ（Ｌｉｇｈｔ  Ｅｍｉｔｔｉｎｇ  Ｄｉｏｄｅ，ＬＥＤ）３０と、複数の電子部品４０を有する。
【００１７】
前記照明管１０は、第一端及び第二端を備え、該第一端及び第二端を貫通する中空状を呈し、その内部に、基板２０、ＬＥＤ３０、電子部品４０を収納するための収容空間１１が形成される。
【００１８】
前記基板２０は、水平部２１及び該水平部２１の底面中央に延設される垂直部２２を備え、該水平部２１と垂直部２２とは、Ｔ字形を呈し、前記複数のＬＥＤ３０はそれぞれ、間隔をおいて水平部２１の上面に取り付けられ、前記複数の電子部品４０はそれぞれ、間隔をおいて垂直部２２の２つの側面のうちの一方に取り付けられる。
【００１９】
本実施例においては、前記収容空間１１の内壁における相対する両側にそれぞれ、嵌設凹部１２が対応するように凹設されると共に、前記水平部２１の両側がそれぞれ、２つの嵌設凹部１２に嵌め込まれ、基板２０の水平部２１を嵌設凹部１２に嵌め込むことによって、基板２０が照明管１０に組み合わせて固定される。
【００２０】
更に、本実施例においては、前記照明管１０の第一端及び第二端にそれぞれ蓋部１３が取り付けられ、該蓋部１３の底部に固定部１３１が延設され、該固定部１３１により照明管１０を固定する。
【００２１】
本実施例における照明管１０の第一端の蓋部１３にさらに、電源線１４が取り付けられ、該電源線１４が基板２０及び外部の電源（図示せず）に電気接続され、これにより、電源からの電力をＬＥＤ３０及び電子部品４０に供給する。
【００２２】
本実施例における照明管１０の外壁の両側にそれぞれ連接部１５が延設されると共に、該蓋部１３は、２つの連接部１５を介して照明管１０に連接され、そのうち、各連接部１５の内周面に内ネジ山が形成され、該各蓋部１３は、２本のボルト１３２を備え、該２本のボルト１３２が照明管１０の一端と対応するように２つの連接部１５に螺合され、これにより、蓋部１３を照明管１０に取り付ける。
【００２３】
図２Ａに示すように、前記複数の電子部品４０はそれぞれ、間隔をおいて垂直部２２の一側面に取り付けられることから、それらの電子部品４０の稼動により発生した熱を、垂直部２２の他の側面から素早く放散することができるので、水平部２１にある複数のＬＥＤ３０に悪影響を与えることはない。故に、ＬＥＤ３０の発光過程から発生した熱と、電子部品４０の稼動過程から発生した熱との累積によるＬＥＤ３０の破損を防げるので、ＬＥＤ３０の耐久性を向上させることができる。
【００２４】
図２Ｂに示すように、前記複数の電子部品４０はそれぞれ、間隔をおいて垂直部２２の他の側面に取り付けられてもよく、この構成によれば、それらの電子部品４０の稼動により発生した熱を、垂直部２２の一側面から素早く放散させることができる。
【００２５】
本考案に係る、耐久性に優れた照明設備には、複数のＬＥＤ３０が水平部２１の上面に取り付けられると共に、複数の電子部品４０が垂直部２２の一側面に取り付けられる。すなわち、それらのＬＥＤ３０と電子部品４０とは別個に設置されることから、それらの電子部品４０の稼動により発生した熱を、垂直部２２における電子部品４０を有しない側面から放散することができ、また、その熱が水平部２１に伝わることはないので、ＬＥＤ３０に悪影響を与えない。更に、それらの電子部品４０からの熱とそれらのＬＥＤ３０からの熱が累積することはないことから、ＬＥＤ３０が破損し難いので、ＬＥＤ３０の耐久性を向上させて、ＬＥＤ３０の使用寿命を延ばすことができる。
【００２６】
前記電子部品４０からの熱がＬＥＤ３０に悪影響を与えることはないため、ＬＥＤ３０の発光効率が高まり、結果的にＬＥＤ３０の照明効率も高まる。
【符号の説明】
【００２７】
１０、９０        照明管
１１              収容空間
１２              嵌設凹部
１３              蓋部
１３１            固定部
１３２            ボルト
１４              電源線
１５              連接部
２０、９１        基板
２１              水平部
２２              垂直部
３０、９２        ＬＥＤ
４０、９３        電子部品
【図１】
0003211005.tif 000003
【図２】
0003211005.tif 000004
【図３】
0003211005.tif 000005
【図４】
0003211005.tif 000006